(57)【特許請求の範囲】
【請求項１】
所定のコンテンツの視聴が制限されたユーザが使用する第１の端末と、前記ユーザによるコンテンツの視聴を管理する管理者が使用する第２の端末と、所定のコンテンツを表示する表示装置と、ネットワークを介して接続され、前記ユーザ及び前記管理者に関する情報を管理するコンテンツ視聴管理装置であって、
個々の前記ユーザに対して視聴許諾がされたコンテンツに関する許諾コンテンツリストが前記ユーザを特定するユーザＩＤに関連付けて記録される記憶部と、
所定のコンテンツについての視聴要求に応じて、当該コンテンツに視聴制限が設定されていると前記表示装置により判断された場合に、前記第１の端末から取得した前記表示装置から当該ユーザＩＤを取得するユーザ情報取得部と、
前記許諾コンテンツリストと前記ユーザＩＤとに基づいて、前記視聴要求がされたコンテンツが前記管理者による視聴許諾がされたものであるか否かを判断する視聴許諾有無判断部と、
前記視聴要求がされたコンテンツが視聴許諾のされていないものである場合に、前記第２の端末に対して、前記視聴要求がされたコンテンツの視聴許諾を要求するメッセージを送信する視聴許諾要求送信部と、
を備え、
前記視聴要求がされたコンテンツに対する前記管理者による視聴許諾の可否に関する視聴許諾情報を、前記第２の端末から取得する視聴許諾情報取得部と、
取得した前記視聴許諾情報と、前記視聴許諾が行われたコンテンツを特定する許諾コンテンツ情報と、を前記第１の端末に提供する視聴許諾情報提供部と、
をさらに備え、
前記許諾コンテンツリストには、前記ユーザＩＤと、各前記ユーザＩＤに関連付けられた前記視聴許諾がされたコンテンツを特定するための情報と、前記各ユーザＩＤに関連付けられた当該ユーザの電子メールアドレスと、が含まれることを特徴とする、コンテンツ視聴管理装置。
【請求項２】
前記記憶部には、前記管理者を特定する管理者ＩＤと、各前記管理者ＩＤに関連付けられた当該管理者の電子メールアドレスと、各前記管理者ＩＤに関連付けられた当該管理者がコンテンツの視聴管理をする前記ユーザのユーザＩＤと、を含む管理者リストがさらに記録されることを特徴とする、請求項１に記載のコンテンツ視聴管理装置。
【請求項３】
前記第２の端末からの要求に応じて、前記管理者に関する情報を登録するとともに、前記管理者リストを作成する管理者情報登録部をさらに備えることを特徴とする、請求項２に記載のコンテンツ視聴管理装置。
【請求項４】
所定のコンテンツを表示する表示装置に対して所定のコンテンツの視聴要求がなされた場合に、当該所定のコンテンツの視聴が制限されたユーザに関する情報と、前記ユーザによるコンテンツの視聴を管理する管理者に関する情報とを管理するコンテンツ視聴管理装置を用いたコンテンツ視聴管理方法であって、
前記視聴要求に応じて、前記視聴要求に係るコンテンツに視聴制限が設定されていると判断された場合に、前記ユーザが使用する第１の端末から前記ユーザを特定するユーザＩＤを取得した前記表示装置から当該ユーザＩＤを取得するユーザ情報取得ステップと、
前記コンテンツ視聴管理装置が有する個々の前記ユーザに対して視聴許諾がされたコンテンツに関する許諾コンテンツリストと、前記ユーザＩＤと、に基づいて、前記視聴要求がされたコンテンツが前記管理者による視聴許諾がされたものであるか否かを判断する視聴許諾有無判断ステップと、
前記視聴要求がされたコンテンツが視聴許諾のされていないものである場合に、前記管理者が有する第２の端末に対して、前記視聴要求がされたコンテンツの視聴許諾を要求するメッセージを送信する視聴許諾要求送信ステップと、
を含み、
前記視聴要求がされたコンテンツに対する前記管理者による視聴許諾の可否に関する視聴許諾情報を、前記第２の端末から取得する視聴許諾情報取得ステップと、
取得した前記視聴許諾情報と、前記視聴許諾が行われたコンテンツを特定する許諾コンテンツ情報と、を前記第１の端末に提供する視聴許諾情報ステップと、
をさらに含み、
前記許諾コンテンツリストには、前記ユーザＩＤと、各前記ユーザＩＤに関連付けられた前記視聴許諾がされたコンテンツを特定するための情報と、前記各ユーザＩＤに関連付けられた当該ユーザの電子メールアドレスと、が含まれることを特徴とする、コンテンツ視聴管理方法。
【請求項５】
所定のコンテンツの視聴が制限されたユーザが使用する第１の端末と、前記ユーザによるコンテンツの視聴を管理する管理者が使用する第２の端末と、所定のコンテンツを表示する表示装置と、ネットワークを介して接続され、前記ユーザ及び前記管理者に関する情報を管理するコンテンツ視聴管理装置における処理を実行するためのプログラムであって、
コンピュータに、
個々の前記ユーザに対して視聴許諾がされたコンテンツに関する許諾コンテンツリストを、前記ユーザを特定するユーザＩＤに関連付けて記録する記録機能と、
所定のコンテンツについての視聴要求に応じて、当該コンテンツに視聴制限が設定されていると前記表示装置により判断された場合に、前記第１の端末から取得した前記表示装置から当該ユーザＩＤを取得するユーザ情報取得機能と、
前記許諾コンテンツリストと前記ユーザＩＤとに基づいて、前記視聴要求がされたコンテンツが前記管理者による視聴許諾がされたものであるか否かを判断する視聴許諾有無判断機能と、
前記視聴要求がされたコンテンツが視聴許諾のされていないものである場合に、前記第２の端末に対して、前記視聴要求がされたコンテンツの視聴許諾を要求するメッセージを送信する視聴許諾要求送信機能と、
前記視聴要求がされたコンテンツに対する前記管理者による視聴許諾の可否に関する視聴許諾情報を、前記第２の端末から取得する視聴許諾情報取得機能と、
取得した前記視聴許諾情報と、前記視聴許諾が行われたコンテンツを特定する許諾コンテンツ情報と、を前記第１の端末に提供する視聴許諾情報提供機能と、
を実現させるためのプログラムであって、
前記許諾コンテンツリストには、前記ユーザＩＤと、各前記ユーザＩＤに関連付けられた前記視聴許諾がされたコンテンツを特定するための情報と、前記各ユーザＩＤに関連付けられた当該ユーザの電子メールアドレスと、が含まれることを特徴とする、プログラム。
【請求項６】
所定のコンテンツの視聴が制限されたユーザが使用する第１の端末と、前記ユーザによるコンテンツの視聴を管理する管理者が使用する第２の端末と、前記ユーザ及び前記管理者に関する情報を管理するユーザ管理サーバと、所定のコンテンツを表示する表示装置と、前記表示装置にコンテンツを配信するコンテンツ配信サーバと、を備えるコンテンツ視聴管理システムであって、
前記第１の端末は、
前記ユーザを特定するユーザＩＤが記録される記憶部と、
前記表示装置に対して、少なくとも前記ユーザＩＤを提供するユーザ情報提供部と、
を有し、
前記表示装置は、
個々の前記ユーザによる視聴が制限されるコンテンツに関する視聴制限情報の視聴制限リストが、前記ユーザＩＤに関連付けて記録される記憶部と、
前記コンテンツ配信サーバから１または２以上のコンテンツのメタデータを取得するメタデータ取得部と、
前記第１の端末から少なくとも前記ユーザＩＤを取得するユーザ情報取得部と、
所定のコンテンツについての視聴要求に応じて、前記メタデータと前記ユーザＩＤと前記視聴制限リストとに基づいて、当該コンテンツの視聴制限が設定されているか否かを判断する視聴制限判断部と、
前記視聴制限が設定されていると判断された場合に、前記第１の端末から取得した前記ユーザＩＤを前記ユーザ管理サーバに提供するユーザ情報提供部と、
を有し、
前記ユーザ管理サーバは、
個々の前記ユーザに対して視聴許諾がされたコンテンツの許諾コンテンツリストが前記ユーザＩＤに関連付けて記録される記憶部と、
前記表示装置から前記ユーザＩＤを取得するユーザ情報取得部と、
前記許諾コンテンツリストと前記ユーザＩＤとに基づいて、前記視聴要求がされたコンテンツが前記管理者による視聴許諾がされたものであるか否かを判断する視聴許諾有無判断部と、
前記視聴要求がされたコンテンツが視聴許諾のされていないものである場合に、前記第２の端末に対して、前記視聴要求がされたコンテンツの視聴許諾を要求するメッセージを送信する視聴許諾要求送信部と、
を有し、
前記第２の端末は、前記視聴許諾を要求するメッセージを受信する視聴許諾要求受信部を有し、
前記第２の端末は、
前記視聴要求がされたコンテンツに対する前記管理者による視聴許諾の可否に関する視聴許諾情報が入力される入力部と、
前記ユーザ管理サーバに前記視聴許諾情報を提供する視聴許諾情報提供部と、
をさらに有し、
前記ユーザ管理サーバは、
前記第２の端末から前記視聴要求がされたコンテンツに対応する前記視聴許諾情報を取得する視聴許諾情報取得部と、
取得した前記視聴許諾情報と、前記視聴許諾が行われたコンテンツを特定する許諾コンテンツ情報と、を前記第１の端末に提供する視聴許諾情報提供部と、
をさらに有し、
前記第１の端末は、前記視聴許諾情報と前記許諾コンテンツ情報とを前記ユーザ管理サーバから取得する視聴許諾情報取得部をさらに有し、
前記第１の端末の前記ユーザ情報提供部は、取得した前記視聴許諾情報と前記許諾コンテンツ情報とを前記表示装置に提供し、
前記表示装置は、
前記第１の端末または前記ユーザ管理サーバから前記視聴許諾情報と前記許諾コンテンツ情報を取得する視聴許諾情報取得部と、
前記視聴許諾情報及び前記許諾コンテンツ情報とともに、前記視聴許諾が行われたコンテンツの配信要求を前記コンテンツ配信サーバに送信するコンテンツ配信要求部と、
前記コンテンツの配信要求に応じて、前記視聴許諾が行われたコンテンツを前記コンテンツ配信サーバから取得するコンテンツ取得部と、
取得した前記視聴許諾が行われたコンテンツを再生するコンテンツ再生部と、
をさらに有し、
前記許諾コンテンツリストには、前記ユーザＩＤと、各前記ユーザＩＤに関連付けられた前記視聴許諾がされたコンテンツを特定するための情報と、前記各ユーザＩＤに関連付けられた当該ユーザの電子メールアドレスと、が含まれ、
前記コンテンツ視聴管理システムは、所定のコンテンツの購入に対する決済処理を行う決済サーバをさらに備え、
前記表示装置は、前記視聴許諾情報及び前記許諾コンテンツ情報を取得した場合に、前記決済サーバに対して、前記視聴許諾がされたコンテンツの購入に対する決済処理を要求する決済処理要求部をさらに有し、
前記決済サーバは、前記決済処理要求部による決済処理の要求に応じて、前記第１の端末に対して、前記視聴許諾がされたコンテンツの購入に対する決済処理を行う決済処理部を有し、
前記許諾コンテンツリストには、前記ユーザＩＤと、各前記ユーザＩＤに関連付けられた前記視聴許諾がされたコンテンツを特定するための情報と、前記各ユーザＩＤに関連付けられた当該ユーザの電子メールアドレスと、が含まれることを特徴とする、コンテンツ視聴管理システム。
【請求項７】
前記ユーザ管理サーバの記憶部には、前記管理者を特定する管理者ＩＤと、各前記管理者ＩＤに関連付けられた当該管理者の電子メールアドレスと、各前記管理者ＩＤに関連付けられた当該管理者がコンテンツの視聴管理をする前記ユーザのユーザＩＤと、を含む管理者リストがさらに記録されることを特徴とする、請求項６に記載のコンテンツ視聴管理システム。
【請求項８】
前記視聴制限リストには、前記ユーザＩＤと、各前記ユーザＩＤに関連付けられた当該ユーザの名前と、各前記ユーザＩＤに関連付けられた当該ユーザの視聴制限の内容を示す制限内容情報と、が含まれることを特徴とする、請求項６に記載のコンテンツ視聴管理システム。
【請求項９】
前記第１の端末は、ＩＣカードであることを特徴とする、請求項６に記載のコンテンツ視聴管理システム。
【発明の詳細な説明】
【技術分野】
【０００１】
本発明は、コンテンツ視聴管理装置、コンテンツ視聴管理方法、プログラム及びコンテンツ視聴管理システムに関する。
【背景技術】
【０００２】
情報通信技術の発展に伴い、インターネットに接続可能な通信機器を用いて、インターネットを介して様々なコンテンツを容易にダウンロードできるようになってきている。また、近年、携帯電話等の通信端末の価格が低下したことや、子供を危険から守るために親が携帯電話等を子供に持たせるケースが増加してきたことなどにより、通信端末を所持するユーザの年齢層が低下してきている。そのため、年齢等による視聴制限のあるコンテンツでも、携帯電話等から子供が容易にダウンロードして視聴することができてしまう、という状況下にある。
【０００３】
また、最近では、非接触ＩＣ通信機能を有する携帯電話機やＩＣカード等も増えてきており、このような携帯電話機等を非接触ＩＣ通信用のリーダ／ライタ等にかざすだけで決済が完了してしまうため、ユーザにとって利便性が高い。逆に、利便性が高いということは、子供でも簡単に決済ができてしまうということになるため、子供が視聴制限のあるコンテンツを自由に購入して視聴できてしまう危険性が高い。
【０００４】
このような状況下において、例えば、特許文献１では、インターネット上のサイトに対する携帯電話機からのアクセスを、この携帯電話機の使用者（未成年者）の親権者が予め登録したブックマークのみに制限する技術が提案されている。
【０００５】
【特許文献１】特開２００３−１８６８４２号公報
【発明の開示】
【発明が解決しようとする課題】
【０００６】
しかしながら、特許文献１に記載された技術では、コンテンツの具体的な内容に関わらず、親権者により登録されたサイト以外のサイトにはアクセスができないため、インターネット利用の自由度が大きく奪われる、という問題があった。
【０００７】
また、特許文献１に記載された技術では、視聴制限のあるコンテンツの視聴（閲覧）に対して制限をかけることはできるが、当該コンテンツの購入に対して制限をかけることはできない、という問題もあった。
【０００８】
そこで、本発明は、このような問題に鑑みてなされたもので、所定のコンテンツの視聴が制限されているユーザによるコンテンツの視聴を管理するコンテンツ視聴管理装置、コンテンツ視聴管理方法、プログラム及びコンテンツ視聴管理システムにおいて、インターネット利用の自由度を高めるとともに、視聴制限のあるコンテンツの購入に対しても制限をかけることを目的とする。
【課題を解決するための手段】
【０００９】
上記課題を解決するために、本発明のある観点によれば、定のコンテンツの視聴が制限されたユーザが使用する第１の端末と、前記ユーザによるコンテンツの視聴を管理する管理者が使用する第２の端末と、所定のコンテンツを表示する表示装置と、ネットワークを介して接続され、前記ユーザ及び前記管理者に関する情報を管理するコンテンツ視聴管理装置であって、個々の前記ユーザに対して視聴許諾がされたコンテンツに関する許諾コンテンツリストが前記ユーザを特定するユーザＩＤに関連付けて記録される記憶部と、所定のコンテンツについての視聴要求に応じて、当該コンテンツに視聴制限が設定されていると前記表示装置により判断された場合に、前記第１の端末から取得した前記表示装置から当該ユーザＩＤを取得するユーザ情報取得部と、前記許諾コンテンツリストと前記ユーザＩＤとに基づいて、前記視聴要求がされたコンテンツが前記管理者による視聴許諾がされたものであるか否かを判断する視聴許諾有無判断部と、前記視聴要求がされたコンテンツが視聴許諾のされていないものである場合に、前記第２の端末に対して、前記視聴要求がされたコンテンツの視聴許諾を要求するメッセージを送信する視聴許諾要求送信部と、を備えるコンテンツ視聴管理装置が提供される。
【００１０】
ここで、前記コンテンツ視聴管理装置は、前記視聴要求がされたコンテンツに対する前記管理者による視聴許諾の可否に関する視聴許諾情報を、前記第２の端末から取得する視聴許諾情報取得部と、取得した前記視聴許諾情報と、前記視聴許諾が行われたコンテンツを特定する許諾コンテンツ情報と、を前記第１の端末に提供する視聴許諾情報提供部と、をさらに備えていてもよい。
【００１１】
また、前記許諾コンテンツリストには、前記ユーザＩＤと、各前記ユーザＩＤに関連付けられた前記視聴許諾がされたコンテンツを特定するための情報と、前記各ユーザＩＤに関連付けられた当該ユーザの電子メールアドレスと、が含まれていてもよい。
【００１２】
また、前記記憶部には、前記管理者を特定する管理者ＩＤと、各前記管理者ＩＤに関連付けられた当該管理者の電子メールアドレスと、各前記管理者ＩＤに関連付けられた当該管理者がコンテンツの視聴管理をする前記ユーザのユーザＩＤと、を含む管理者リストがさらに記録されていてもよい。
【００１３】
また、前記コンテンツ視聴管理装置は、前記第２の端末からの要求に応じて、前記管理者に関する情報を登録するとともに、前記管理者リストを作成する管理者情報登録部をさらに備えていてもよい。
【００１４】
上記課題を解決するために、本発明の他の観点によれば、所定のコンテンツを表示する表示装置に対して所定のコンテンツの視聴要求がなされた場合に、当該所定のコンテンツの視聴が制限されたユーザに関する情報と、前記ユーザによるコンテンツの視聴を管理する管理者に関する情報とを管理するコンテンツ視聴管理装置を用いたコンテンツ視聴管理方法であって、前記視聴要求に応じて、前記視聴要求に係るコンテンツに視聴制限が設定されていると判断された場合に、前記ユーザが使用する第１の端末から前記ユーザを特定するユーザＩＤを取得した前記表示装置から当該ユーザＩＤを取得するユーザ情報取得ステップと、前記コンテンツ視聴管理装置が有する個々の前記ユーザに対して視聴許諾がされたコンテンツに関する許諾コンテンツリストと、前記ユーザＩＤと、に基づいて、前記視聴要求がされたコンテンツが前記管理者による視聴許諾がされたものであるか否かを判断する視聴許諾有無判断ステップと、前記視聴要求がされたコンテンツが視聴許諾のされていないものである場合に、前記管理者が有する第２の端末に対して、前記視聴要求がされたコンテンツの視聴許諾を要求するメッセージを送信する視聴許諾要求送信ステップと、を含むコンテンツ視聴管理方法が提供される。
【００１５】
上記課題を解決するために、本発明のさらに他の観点によれば、所定のコンテンツの視聴が制限されたユーザが使用する第１の端末と、前記ユーザによるコンテンツの視聴を管理する管理者が使用する第２の端末と、所定のコンテンツを表示する表示装置と、ネットワークを介して接続され、前記ユーザ及び前記管理者に関する情報を管理するコンテンツ視聴管理装置における処理を実行するためのプログラムであって、コンピュータに、個々の前記ユーザに対して視聴許諾がされたコンテンツに関する許諾コンテンツリストを、前記ユーザを特定するユーザＩＤに関連付けて記録する記録機能と、所定のコンテンツについての視聴要求に応じて、当該コンテンツに視聴制限が設定されていると前記表示装置により判断された場合に、前記第１の端末から取得した前記表示装置から当該ユーザＩＤを取得するユーザ情報取得機能と、前記許諾コンテンツリストと前記ユーザＩＤとに基づいて、前記視聴要求がされたコンテンツが前記管理者による視聴許諾がされたものであるか否かを判断する視聴許諾有無判断機能と、前記視聴要求がされたコンテンツが視聴許諾のされていないものである場合に、前記第２の端末に対して、前記視聴要求がされたコンテンツの視聴許諾を要求するメッセージを送信する視聴許諾要求送信機能と、を実現させるためのプログラムが提供される。
【００１６】
このような構成によれば、コンピュータプログラムは、コンピュータが備える記憶部に格納され、コンピュータが備えるＣＰＵに読み込まれて実行されることにより、そのコンピュータを上記のコンテンツ視聴管理装置として機能させる。また、コンピュータプログラムが記録された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００１７】
上記課題を解決するために、本発明のさらに他の観点によれば、所定のコンテンツの視聴が制限されたユーザが使用する第１の端末と、前記ユーザによるコンテンツの視聴を管理する管理者が使用する第２の端末と、前記ユーザ及び前記管理者に関する情報を管理するユーザ管理サーバと、所定のコンテンツを表示する表示装置と、前記表示装置にコンテンツを配信するコンテンツ配信サーバと、を備えるコンテンツ視聴管理システムが提供される。
【００１８】
前記コンテンツ視聴管理システムにおいて、前記第１の端末は、前記ユーザを特定するユーザＩＤが記録される記憶部と、前記表示装置に対して、少なくとも前記ユーザＩＤを提供するユーザ情報提供部と、を有する。また、前記表示装置は、個々の前記ユーザによる視聴が制限されるコンテンツに関する視聴制限情報の視聴制限リストが、前記ユーザＩＤに関連付けて記録される記憶部と、前記コンテンツ配信サーバから１または２以上のコンテンツのメタデータを取得するメタデータ取得部と、前記第１の端末から少なくとも前記ユーザＩＤを取得するユーザ情報取得部と、所定のコンテンツについての視聴要求に応じて、前記メタデータと前記ユーザＩＤと前記視聴制限リストとに基づいて、当該コンテンツの視聴制限が設定されているか否かを判断する視聴制限判断部と、前記視聴制限が設定されていると判断された場合に、前記第１の端末から取得した前記ユーザＩＤを前記ユーザ管理サーバに提供するユーザ情報提供部と、を有する。また、前記ユーザ管理サーバは、個々の前記ユーザに対して視聴許諾がされたコンテンツの許諾コンテンツリストが前記ユーザＩＤに関連付けて記録される記憶部と、前記表示装置から前記ユーザＩＤを取得するユーザ情報取得部と、前記許諾コンテンツリストと前記ユーザＩＤとに基づいて、前記視聴要求がされたコンテンツが前記管理者による視聴許諾がされたものであるか否かを判断する視聴許諾有無判断部と、前記視聴要求がされたコンテンツが視聴許諾のされていないものである場合に、前記第２の端末に対して、前記視聴要求がされたコンテンツの視聴許諾を要求するメッセージを送信する視聴許諾要求送信部と、を有する。また、前記第２の端末は、前記視聴許諾を要求するメッセージを受信する視聴許諾要求受信部を有する。
【００１９】
ここで、前記第２の端末は、前記視聴要求がされたコンテンツに対する前記管理者による視聴許諾の可否に関する視聴許諾情報が入力される入力部と、前記ユーザ管理サーバに前記視聴許諾情報を提供する視聴許諾情報提供部と、をさらに有し、前記ユーザ管理サーバは、前記第２の端末から前記視聴要求がされたコンテンツに対応する前記視聴許諾情報を取得する視聴許諾情報取得部と、取得した前記視聴許諾情報と、前記視聴許諾が行われたコンテンツを特定する許諾コンテンツ情報と、を前記第１の端末に提供する視聴許諾情報提供部と、をさらに有していてもよい。
【００２０】
また、前記第１の端末は、前記視聴許諾情報と前記許諾コンテンツ情報とを前記ユーザ管理サーバから取得する視聴許諾情報取得部をさらに有し、前記第１の端末の前記ユーザ情報提供部は、取得した前記視聴許諾情報と前記許諾コンテンツ情報とを前記表示装置に提供し、前記表示装置は、前記第１の端末または前記ユーザ管理サーバから前記視聴許諾情報と前記許諾コンテンツ情報を取得する視聴許諾情報取得部と、前記視聴許諾情報及び前記許諾コンテンツ情報とともに、前記視聴許諾が行われたコンテンツの配信要求を前記コンテンツ配信サーバに送信するコンテンツ配信要求部と、前記コンテンツの配信要求に応じて、前記視聴許諾が行われたコンテンツを前記コンテンツ配信サーバから取得するコンテンツ取得部と、取得した前記視聴許諾が行われたコンテンツを再生するコンテンツ再生部と、をさらに有していてもよい。
【００２１】
また、前記コンテンツ視聴管理システムは、所定のコンテンツの購入に対する決済処理を行う決済サーバをさらに備え、前記表示装置は、前記視聴許諾情報及び前記許諾コンテンツ情報を取得した場合に、前記前記決済サーバに対して、前記視聴許諾がされたコンテンツの購入に対する決済処理を要求する決済処理要求部をさらに有し、前記決済サーバは、前記決済処理要求部による決済処理の要求に応じて、前記第１の端末に対して、前記視聴許諾がされたコンテンツの購入に対する決済処理を行う決済処理部を有していてもよい。
【００２２】
また、前記許諾コンテンツリストには、前記ユーザＩＤと、各前記ユーザＩＤに関連付けられた前記視聴許諾がされたコンテンツを特定するための情報と、前記各ユーザＩＤに関連付けられた当該ユーザの電子メールアドレスと、が含まれていてもよい。
【００２３】
また、前記ユーザ管理サーバの記憶部には、前記管理者を特定する管理者ＩＤと、各前記管理者ＩＤに関連付けられた当該管理者の電子メールアドレスと、各前記管理者ＩＤに関連付けられた当該管理者がコンテンツの視聴管理をする前記ユーザのユーザＩＤと、を含む管理者リストがさらに記録されていてもよい。
【００２４】
また、前記視聴制限リストには、前記ユーザＩＤと、各前記ユーザＩＤに関連付けられた当該ユーザの名前と、各前記ユーザＩＤに関連付けられた当該ユーザの視聴制限の内容を示す制限内容情報と、が含まれていてもよい。
【００２５】
また、前記第１の端末は、ＩＣカードであってもよい。
【００２６】
以上のような本発明に係るコンテンツ視聴管理装置、コンテンツ視聴管理方法、プログラム及びコンテンツ視聴管理システムによれば、以下のような効果が得られる。すなわち、まず、コンテンツ視聴管理装置（コンテンツ視聴管理システムにおけるユーザ管理サーバ）に対して、予め管理者が管理すべきユーザ及びそのユーザに対する視聴制限の内容などを登録しておく。そして、登録されたユーザから所定のコンテンツに対する視聴要求があった場合に、当該コンテンツの視聴許諾がなされているかどうかを確認する。その結果、視聴許諾がなされていない場合には、管理者の端末に対して、個別に視聴許諾の要求のメッセージを送信することで、予めユーザの端末に対してアクセス制限をかける必要がなくなるため、ユーザによるインターネット利用の自由度を高めることができる。また、本発明に係るコンテンツ視聴管理装置、コンテンツ視聴管理方法、プログラム及びコンテンツ視聴管理システムによれば、管理者の端末に対して、視聴許諾の要求に代えて、あるいは、視聴許諾の要求とともに、コンテンツの購入許可の要求を送信することができる。従って、視聴制限のあるコンテンツの購入に対しても制限をかけることが可能となる。
【発明の効果】
【００２７】
本発明によれば、所定のコンテンツの視聴が制限されているユーザによるコンテンツの視聴を管理するコンテンツ視聴管理装置、コンテンツ視聴管理方法、プログラム及びコンテンツ視聴管理システムにおいて、インターネット利用の自由度を高めるとともに、視聴制限のあるコンテンツの購入に対しても制限をかけることが可能となる。
【発明を実施するための最良の形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
（コンテンツ視聴管理システム１の構成）
まず、図１を参照しながら、本発明の一実施形態に係るコンテンツ視聴管理システム１の全体構成について説明する。なお、図１は、本発明の一実施形態に係るコンテンツ視聴管理システム１の構成を示す説明図である。
【００３０】
本実施形態に係るコンテンツ視聴管理システム１は、コンテンツを視聴しようとしているユーザが、そのコンテンツに関する視聴許諾を未取得の場合、管理者に視聴許諾を求めることができるシステムである。具体的には、図１に示すように、本実施形態に係るコンテンツ視聴管理システム１は、ユーザが使用するユーザ端末１１０と、管理者が使用する管理者端末１２０と、ユーザ管理サーバ１３０と、表示装置１４０と、コンテンツ配信サーバ１６０と、決済サーバ１７０と、を主に備える。
【００３１】
ユーザ端末１１０は、本実施形態に係る第１の端末の一例であり、所定のコンテンツ（例えば、Ｒ指定が設定されたコンテンツや成人向けコンテンツなど）の視聴が制限されたユーザ（例えば、未成年者）が使用する端末装置である。このユーザ端末１１０は、ユーザを特定するためのユーザＩＤの通信機能を有している。このユーザＩＤとしては、例えば、特定のユーザがコンテンツを購入する際の決済処理に使用する決済用ＩＤなどがある。また、ユーザ端末１１０としては、携帯端末であるか固定端末であるかは問わず、後述する表示装置１４０との間でユーザＩＤを通信する機能を有していればよく、例えば、非接触ＩＣ通信機能を有する携帯電話機であってもよく、非接触ＩＣ通信機能を有するＩＣカードであってもよい。また、ユーザ端末１１０は、例えば、携帯電話機のように、ユーザ管理サーバ１３０等とインターネット等のネットワークを介して通信する機能を有しているものであってもよい。
【００３２】
管理者端末１２０は、本実施形態に係る第２の端末の一例であり、ユーザによるコンテンツの視聴を管理する管理者が使用する端末装置である。この管理者端末１２０は、ユーザ管理サーバ１３０とインターネット等のネットワークを介して通信する機能を有している。管理者用端末１２０は、携帯端末であるか固定端末であるかは問わない点はユーザ端末１１０と同様であるが、ユーザ端末１１０とは異なり、表示装置１４０との間でユーザＩＤを通信する機能を有していなくてもよい。
【００３３】
ユーザ管理サーバ１３０は、本実施形態に係るコンテンツ視聴管理システムにおけるユーザ管理サーバ、あるいは、本実施形態に係るコンテンツ視聴管理装置の一例であり、ユーザ及び管理者に関する情報を管理する。このユーザ管理サーバ１３０は、ユーザ端末１１０、管理者端末１２０及び表示装置１４０とインターネット等のネットワークを介して通信する機能を有している。このユーザ管理サーバ１３０には、管理者端末１２０による管理者に関する情報（以下、「管理者情報」という。）の登録要求に応じて、当該管理者情報を含む管理者リストが記録されている。
【００３４】
表示装置１４０は、本実施形態に係る表示装置の一例であり、所定のコンテンツを表示する機能を有する装置である。具体的には、表示装置１４０としては、アナログ放送やデジタル放送を受信してディスプレイ等に表示可能なテレビジョン受像機等が挙げられる。この表示装置１４０は、ホームネットワークを構成する電子機器としても使用可能であり、ユーザ端末１１０、ユーザ管理サーバ１３０、コンテンツ配信サーバ１６０及び決済サーバ１７０等と、インターネット等のネットワークを介して通信する機能を有している。なお、表示装置１４０は、自己を特定するための機器ＩＤを有しており、また、ユーザ管理サーバ１３０の場所に関する情報（例えば、ＩＰアドレスやＵＲＬ等）を有している。
【００３５】
コンテンツ配信サーバ１６０は、本実施形態に係るコンテンツ配信サーバの一例であり、表示装置１４０に対して、インターネット等のネットワークを介してコンテンツを配信する機能を有する装置である。コンテンツ配信サーバ１６０は、コンテンツの配信を表示装置１４０等からの要求に応じて行ってもよく、あるいは、表示装置１４０等からの要求によらず自動的に行ってもよい。また、コンテンツ配信サーバ１６０は、コンテンツが有料コンテンツの場合には、当該コンテンツの決済処理が行ったことを確認した後にコンテンツの配信を行ってもよい。
【００３６】
決済サーバ１７０は、本実施形態に係る決済サーバの一例であり、コンテンツが有料である場合に、当該コンテンツの購入に対する決済処理を行う装置である。この決済サーバ１７０は、ユーザ端末１１０や表示装置１４０等とネットワークを介して通信する機能を有しており、ユーザ端末１１０や表示装置１４０等からの要求に応じて、ユーザ端末１１０に対して決済処理を行う。なお、決済サーバ１７０は、コンテンツが有料の場合には必ずしも設けられている必要はない。
【００３７】
以上、コンテンツ視聴管理システム１の全体構成について説明したが、続いて、コンテンツ視聴管理システム１を構成する各装置の構成について詳細に説明する。
【００３８】
（ユーザ端末１１０の機能構成）
まず、図２を参照しながら、ユーザ端末１１０の構成について説明する。なお、図２は、本実施形態に係る第１の端末の機能構成を示すブロック図である。
【００３９】
図２に示すように、ユーザ端末１１０は、記憶部１１１と、非接触ＩＣ通信部１１３と、ネットワーク通信部１１５と、を主に有する。
【００４０】
記憶部１１１には、例えば、ユーザ端末１１０のユーザを特定するユーザＩＤ（コンテンツ購入時の決済に用いられる決済用ＩＤ）、ユーザの個人情報（ユーザの氏名、年齢等）、ユーザ端末１１０の電子メールのアドレスなどの情報が記憶されている。
【００４１】
非接触ＩＣ通信部１１３は、非接触ＩＣ通信機能を有する機器（本実施形態では、表示装置１４０）とデータの送受信が可能であり、例えば、携帯電話機等の通信端末に搭載されたＩＣチップなどにより実現することができる。本実施形態においては、非接触ＩＣ通信部１１３は、記憶部１１１に記憶されているユーザＩＤ、ユーザの個人情報、ユーザ端末１１０の電子メールアドレス等の情報（以下、「ユーザ情報」という場合がある。）を抽出して、表示装置１４０に提供する（以下、「非接触ＩＣ通信部１１３」の機能をより明確にしたい場合には、「ユーザ情報提供部１１３」ということがある。）。この場合、非接触ＩＣ通信部１１３は、表示装置１４０に提供する情報を自由に取捨選択することができ、必要に応じて各種情報を表示装置１４０に提供することができる。
【００４２】
ネットワーク通信部１１５は、非接触ＩＣ通信機能とは異なり、インターネット等のネットワークを介してデータの送受信が可能であり、本実施形態では、ユーザ管理サーバ１３０や決済サーバ１７０との間で通信することができる。具体的には、ネットワーク通信部１１５は、視聴許諾情報取得部１１６や、決済処理部１１７などを有している。
【００４３】
視聴許諾情報取得部１１６は、管理者により視聴制限が設定されているコンテンツに対する当該管理者による視聴許諾の可否に関する視聴許諾情報（視聴許諾がされた旨の通知、あるいは、視聴許諾がされていない旨の通知）を、ユーザ管理サーバ１３０から取得する。この視聴許諾情報取得部１１６は、視聴許諾情報を取得する際に、同時に、管理者により視聴許諾が行われたコンテンツを特定する許諾コンテンツ情報を取得することもできる。この許諾コンテンツ情報としては、例えば、当該コンテンツを特定するコンテンツＩＤ、コンテンツの名称などが挙げられる。また、視聴許諾情報取得部１１６は、取得した視聴許諾情報及び許諾コンテンツ情報を非接触ＩＣ通信部１１３に伝送する。視聴許諾情報及び許諾コンテンツ情報を受け取った非接触ＩＣ通信部１１３は、当該視聴許諾情報及び許諾コンテンツ情報を表示装置１４０に対して送信するとともに、当該許諾コンテンツ情報により特定されるコンテンツの視聴の開始の要求を表示装置１４０に送信する。
【００４４】
決済処理部１１７は、表示装置１４０等から決済サーバ１７０に対してコンテンツの購入に対する決済処理の要求があった場合に、決済サーバ１７０との間で決済処理を行う。
【００４５】
（管理者端末１２０の機能構成）
次に、図３を参照しながら、管理者端末１２０の構成について説明する。なお、図３は、本実施形態に係る第２の端末の機能構成を示すブロック図である。
【００４６】
図３に示すように、管理者端末１２０は、記憶部１２１と、管理者登録要求部１２２と、視聴許諾要求受信部１２３と、表示部１２４と、入力部１２５と、視聴許諾情報提供部１２６と、通信部１２７と、を主に有する。
【００４７】
記憶部１２１には、例えば、管理者端末１２０のユーザである管理者を特定する管理者ＩＤ、管理者端末１２０の電子メールのアドレスなどの情報が記憶されている。
【００４８】
管理者登録要求部１２２は、記憶部１２１に記憶されている管理者ＩＤ、管理者端末１２０の電子メールアドレス等の情報（以下、「管理者情報」という場合がある。）を抽出して、通信部１２７を介してユーザ管理サーバ１３０に送信するとともに、送信した管理者情報の登録要求を送信する。また、この際、管理者登録要求部１２２は、管理者端末１２０を使用する管理者（例えば、親権者）により管理されるユーザ（例えば、未成年者）のユーザＩＤを送信して、当該管理者が管理するユーザを予めユーザ管理サーバ１３０に登録しておくことができる。
【００４９】
視聴許諾要求受信部１２３は、ユーザにより所定のコンテンツの視聴が要求された場合であって、そのコンテンツが管理者による視聴許諾がまだ行われていないものである場合に、ユーザ管理サーバ１３０から視聴許諾を要求するメッセージを受信する。このとき、視聴許諾要求受信部１２３は、同時に、視聴許諾を求めるコンテンツを特定するための情報や、当該コンテンツの視聴要求をしたユーザの名前やユーザＩＤ、コンテンツが有料である場合にはその料金や、視聴許諾を行うか否かを選択するサイトのＵＲＬなどの情報を受信する。このメッセージの受信の態様としては特に限定されるものではないが、例えば、管理者登録要求部１２２によりユーザ管理サーバ１３０に記憶されている管理者端末１２０の電子メールのアドレスに基づいて、電子メールの形式で受信することができる。視聴許諾要求受信部１２３は、受信した視聴許諾要求の内容を表示部１２４に伝送する。
【００５０】
表示部１２４は、視聴許諾要求受信部１２３から伝送された視聴許諾要求の内容を管理者端末１２０のディスプレイ等に表示させる。管理者は、この表示部１２４によりディスプレイ等に表示された視聴許諾要求に応じて、視聴許諾の要求がされたコンテンツの視聴許諾を行うか否かを選択し、その結果、すなわち、視聴許諾の可否に関する視聴許諾情報は、入力部１２５を介して管理者端末１２０に入力される。入力部１２５は、入力された視聴許諾情報を視聴許諾情報提供部１２６に伝送する。
【００５１】
視聴許諾情報提供部１２６は、入力部１２５から伝送された視聴許諾情報を通信部１２７を介してユーザ管理サーバ１３０に提供する。このとき、視聴許諾情報提供部１２６は、当該視聴許諾情報に対応するコンテンツを特定するための情報や、そのコンテンツの視聴を要求したユーザのユーザＩＤなどを送信してもよい。
【００５２】
通信部１２７は、インターネットなどのネットワークを介したユーザ管理サーバ１３０との間でのデータの送受信全般を行う。具体的には、上述した管理者登録要求部１２２からの管理者情報等の送信、ユーザ管理サーバ１３０からの視聴許諾要求等の受信、視聴許諾情報提供部１２６からの視聴許諾情報等の送信を行う。
【００５３】
（ユーザ管理サーバ１３０の機能構成）
次に、図４を参照しながら、ユーザ管理サーバ１３０の機能構成について説明する。なお、図４は、本実施形態に係るユーザ管理サーバ（コンテンツ視聴管理装置）の機能構成を示すブロック図である。
【００５４】
図４に示すように、ユーザ管理サーバ１３０は、記憶部１３１と、管理情報登録部１３２と、ユーザ情報取得部１３３と、視聴許諾有無判断部１３４と、視聴許諾要求送信部１３５と、視聴許諾情報取得部１３６と、視聴許諾情報提供部１３７と、を主に有する。
【００５５】
記憶部１３１には、例えば、管理者リストと許諾コンテンツリストとが記憶されている。ここで、図８Ａ及び図８Ｂを参照しながら、本実施形態に係る管理者リストと許諾コンテンツリストの内容について説明する。なお、図８Ａは、本実施形態に係る管理者リストの一例を示す説明図であり、図８Ｂは、本実施形態に係る許諾コンテンツリストの一例を示す説明図である。
【００５６】
図８Ａに示すように、本実施形態に係る管理者リストは、例えば、管理者端末１２０の電子メールのアドレスと、管理者が管理するユーザのユーザＩＤとが、管理者を特定する管理者ＩＤに関連付けられて記録されているものである。管理者リストにこのような情報が含まれることにより、ユーザ管理サーバ１３０は、登録されている管理者、その管理者が有する管理者端末１２０の電子メールアドレス、及び、その管理者が管理すべきユーザを特定することができる。また、この管理者リストには、例えば、ユーザＩＤ・管理者ＩＤに対応するユーザ・管理者の氏名や、管理される個々のユーザについての視聴制限を設定するコンテンツの内容（例えば、Ｒ指定、成人用コンテンツ）などに関する情報を含んでいてもよい。
【００５７】
また、図８Ｂに示すように、本実施形態に係る許諾コンテンツリストは、例えば、視聴制限が課されるユーザの氏名と、当該ユーザが所持するユーザ端末１１０の電子メールアドレスと、各ユーザに対して視聴許諾がなされたコンテンツを特定するための情報（図８Ｂでは、コンテンツＩＤ）とが、視聴制限が課されるユーザのユーザＩＤに関連付けられて記録されているものである。許諾コンテンツリストにこのような情報が含まれることにより、ユーザ管理サーバ１３０は、各ユーザの氏名、各ユーザが有するユーザ端末１１０の電子メールアドレス、及び、各ユーザに対して視聴許諾がなされているコンテンツを特定することができる。例えば、コンテンツＩＤが「ａ０００００１」のコンテンツと「ｂ０００００１」のコンテンツは、山田よしおさんにしか視聴許諾がなされていないが、コンテンツＩＤが「ａ０１０１０１」のコンテンツは、山田よしおさんと山田次郎さんの両方に視聴許諾がなされていることがわかる。また、この許諾コンテンツリストには、例えば、ユーザの年齢、当該ユーザを管理する管理者のＩＤや氏名、視聴許諾がされたコンテンツの名称などに関する情報を含んでいてもよい。
【００５８】
再び、図４を参照しながら、ユーザ管理サーバ１３０の機能構成についての説明を続ける。
【００５９】
管理者情報登録部１３２は、管理者端末１２０の管理者登録要求部１２２から、管理者情報の登録要求を受信した場合に、当該管理者情報（例えば、管理者ＩＤ、管理者端末１２０の電子メールアドレス等）や、当該管理者により管理されるユーザのユーザＩＤなどに基づいて管理者リストを作成する（初期登録）。また、管理者情報登録部１３２は、初期登録後も、管理者端末１２０からの要求に応じて、管理者リストを更新することができる。さらに、管理者情報登録部１３２は、作成又は更新した管理者リストを記憶部１３１に記録する。
【００６０】
ユーザ情報取得部１３３は、所定のコンテンツについてユーザにより視聴要求がなされた場合、その視聴要求に応じて、当該コンテンツに視聴制限が設定されていると表示装置１４０により判断された場合に、表示装置１４０からユーザＩＤを含むユーザ情報を取得する。この表示装置１４０から取得するユーザ情報は、表示装置１４０がユーザ端末１１０から取得した情報である。通常、ユーザ情報取得部１３３がユーザ情報を取得する際には、同時に、ユーザによる視聴要求がされたコンテンツが管理者により許諾されているか否かに関する表示装置１４０からの問合せを受信する。また、このときにユーザ情報取得部１３３が取得するユーザ情報の中には、ユーザのＩＤのみならず、ユーザの個人情報やユーザ端末１１０の電子メールアドレス等が含まれていてもよい。ただし、一度ユーザ端末１１０から表示装置１４０にユーザの個人情報等が提供された場合は、セキュリティ上の観点から、二度目以降のユーザ情報の取得の際には、ユーザの個人情報等は含まれていないことが好ましい。また、ユーザ情報取得部１３３は、ユーザ情報の取得と同時に、表示装置１４０からの問合せに係るコンテンツを特定するための情報も取得する。ユーザ情報取得部１３３は、取得したユーザ情報及びコンテンツを特定するための情報を、視聴許諾有無判断部１３４に伝送する。
【００６１】
視聴許諾有無判断部１３４は、記憶部１３１に記憶されている管理者リストと、ユーザ情報取得部１３３から伝送されたユーザ情報及びコンテンツを特定するための情報に基づいて、ユーザにより視聴要求がされたコンテンツが、管理者による視聴許諾がされたものであるか否かを判断する。その判断の結果、視聴許諾有無判断部１３４は、視聴許諾が既にされているコンテンツであると判断した場合には、表示装置１４０にその旨を通知する。一方、視聴許諾有無判断部１３４は、視聴許諾がまだされていないコンテンツであると判断した場合には、視聴許諾要求送信部１３５にその旨を通知する。
【００６２】
視聴許諾要求送信部１３５は、視聴要求がされたコンテンツが視聴許諾のされていないものである場合、すなわち、視聴許諾有無判断部１３４から視聴許諾がまだされていないコンテンツであると判断した旨を通知された場合には、管理者端末１２０に対して、視聴要求がされたコンテンツの視聴許諾を要求するメッセージを送信する。このメッセージの送信の態様としては特に限定されるものではないが、例えば、記憶部１３１に記憶されている管理者リストに含まれる管理者端末１２０の電子メールのアドレスに基づいて、電子メールの形式で送信することができる。
【００６３】
視聴許諾情報取得部１３６は、視聴要求がされたコンテンツに対する管理者による視聴許諾の可否に関する視聴許諾情報を、管理者端末１２０から取得する。具体的には、視聴許諾情報取得部１３６は、管理者端末１２０の入力部１２５を介して入力された視聴許諾情報を取得する。このとき、視聴許諾情報取得部１３６は、当該視聴許諾情報に対応するコンテンツを特定するための情報や、そのコンテンツの視聴を要求したユーザのユーザＩＤなどを受信してもよい。視聴許諾情報取得部１３６は、取得した視聴許諾情報や、当該視聴許諾情報に対応するコンテンツを特定するための情報や、そのコンテンツの視聴を要求したユーザのユーザＩＤなどを、視聴許諾情報提供部１３７に伝送する。また、視聴許諾情報取得部１３６は、視聴許諾情報が、視聴要求がされたコンテンツの視聴を許諾する内容である場合には、記憶部１３１に記憶されている許諾コンテンツリストに、許諾されたコンテンツを許諾されたユーザのユーザＩＤと関連付けて記録する。
【００６４】
視聴許諾情報提供部１３７は、視聴許諾情報取得部１３６から伝送された視聴許諾情報（視聴許諾がされた旨の通知、あるいは、視聴許諾がされていない旨の通知）や、当該視聴許諾情報に対応するコンテンツを特定するための情報や、そのコンテンツの視聴を要求したユーザのユーザＩＤなどを、ユーザ端末１１０に提供する。
【００６５】
（表示装置１４０の機能構成）
次に、図５を参照しながら、表示装置１４０の機能構成について説明する。なお、図５は、本実施形態に係る表示装置の機能構成を示すブロック図である。
【００６６】
図５に示すように、表示装置１４０は、記憶部１４１と、入力部１４３と、表示部１４５と、非接触ＩＣ通信部１４７と、視聴制限判断部１４９と、ユーザ情報提供部１５１と、視聴許諾情報取得部１５３と、決済処理要求部１５５と、コンテンツ情報取得部１５７と、再生部１５９と、を主に有する。
【００６７】
記憶部１４１には、例えば、視聴制限リストが記憶されている。ここで、図８Ｃを参照しながら、本実施形態に係る視聴制限リストの内容について説明する。なお、図８Ｃは、本実施形態に係る視聴制限リストの一例を示す説明図である。
【００６８】
図８Ｃに示すように、本実施形態に係る視聴制限リストは、例えば、管理者によりコンテンツの視聴が管理されるユーザの氏名と、当該ユーザについての視聴制限を設定するコンテンツ（例えば、Ｒ指定、成人用コンテンツ等）の制限内容とが、当該ユーザのユーザＩＤに関連付けられて記録されているものである。視聴制限リストにこのような情報が含まれることにより、表示装置１４０は、管理者によりコンテンツの視聴が管理されるユーザ、そのユーザの氏名、及び、そのユーザについての視聴コンテンツの制限内容を特定することができる。例えば、山田太郎さん、山田よしおさん、山田次郎さんの順に、視聴に関する制限がかかっていないことがわかる。なお、この視聴制限リストには、ユーザの年齢等の情報が含まれていてもよい。
【００６９】
再び、図５を参照しながら、表示装置１４０の機能構成についての説明を続ける。
【００７０】
入力部１４３は、主に、ユーザが視聴したいコンテンツに関する情報が入力される。入力部１４３に入力される情報としては、例えば、ユーザが視聴したいコンテンツのタイトルや、当該コンテンツのＩＤなどがある。入力部１４３は、入力されたコンテンツの情報を表示部１４５に伝送し、表示部１４５では、当該コンテンツが選択された（視聴要求がされた）旨を表示する。
【００７１】
このとき、図示してはいないが、表示装置１４０は、入力部１４３に入力されたコンテンツ（ユーザにより選択されたコンテンツ）のメタデータに含まれる情報（例えば、アダルトコンテンツである、Ｒ指定コンテンツである、有料コンテンツである、などの情報）に基づいて、当該コンテンツの視聴に認証が必要か否かを判断してもよい。この場合は、判断の結果を表示部１４５に表示させ、ユーザに対してその後の動作（例えば、ユーザ情報の提供等）を促してもよい。
【００７２】
非接触ＩＣ通信部１４７は、ユーザ端末１１０の非接触ＩＣ通信部１１３との間でのみデータの送受信が可能である。この非接触ＩＣ通信部１４７は、例えば、ユーザが選択したコンテンツが認証の必要なコンテンツであったような場合に、ユーザ端末１１０からユーザＩＤ等の情報を取得する。非接触ＩＣ通信部１４７は、取得したユーザＩＤ等の情報を視聴制限判断部１４９に伝送する。
【００７３】
ここで、非接触ＩＣ通信部１４７は、ユーザ端末１１０から取得したユーザＩＤが、記憶部１４１に記憶されている視聴制限リストに含まれていないユーザＩＤであった場合には、ユーザ管理サーバ１３０に対して、当該ユーザＩＤに係るユーザを管理者により管理されるユーザとして登録するように促すメッセージを送信するようにしてもよい。このメッセージを受信したユーザ管理サーバ１３０は、管理者端末１２０に対し、登録されていないユーザからコンテンツの視聴要求があった旨、当該ユーザを管理者リストに追加するように促すメッセージを送信する。
【００７４】
視聴制限判断部１４９は、所定のコンテンツについての入力部１４３への入力、すなわち、所定のコンテンツについての視聴要求に応じて、コンテンツ情報取得部１５７により取得されたコンテンツのメタデータに含まれる情報と、非接触ＩＣ通信部１４７から伝送されたユーザＩＤと、記憶部１４１に記憶されている視聴制限リストとに基づいて、当該視聴要求に係るコンテンツの視聴制限が設定されているか否かを判断する。例えば、図８Ｃに示した例で、コンテンツ情報取得部１５７により取得されたコンテンツのメタデータに「Ｒ１８指定」という情報が含まれており、非接触ＩＣ通信部１４７から伝送されたユーザＩＤが「０３６１」であった場合を考える。この場合、ユーザＩＤが「０３６１」の山田よしおさんは、視聴制限リストを参照すると、「Ｒ１５以上は要制限」との制限内容が規定されていることから、「Ｒ１８指定」のコンテンツは、山田よしおさんについては、視聴制限が設定されていると判断される。視聴制限判断部１４９は、上記判断の結果を表示部１４５に表示させるとともに、視聴要求に係るコンテンツが視聴制限が設定されているものであった場合には、当該コンテンツの視聴には管理者の許可が必要であるとのメッセージや、ユーザの個人情報等の提供を促すメッセージを表示部１４５に表示させる。
【００７５】
この表示を見たユーザの動作により、非接触ＩＣ通信部１４７とユーザ端末１１０との通信が行われ、非接触ＩＣ通信部１４７は、ユーザの個人情報等を含むユーザ情報を取得する。非接触ＩＣ通信部１４７は、取得したユーザ情報をユーザ情報提供部１５１に伝送する。
【００７６】
ユーザ情報提供部１５１は、視聴制限判断部１４９により視聴要求に係るコンテンツに視聴制限が設定されていると判断された場合に、非接触ＩＣ通信部１４７から伝送されたユーザＩＤやユーザの個人情報を含むユーザ情報をユーザ管理サーバ１３０に提供する。通常、ユーザ情報提供部１５１がユーザ情報を提供する際には、同時に、ユーザによる視聴要求がされたコンテンツが管理者により許諾されているか否かに関する問合せを、ユーザ管理サーバ１３０に送信する。また、このときにユーザ情報提供部１５１が提供するユーザ情報の中には、ユーザのＩＤのみならず、ユーザの個人情報やユーザ端末１１０の電子メールアドレス等が含まれていてもよい。ただし、一度ユーザ端末１１０から表示装置１４０にユーザの個人情報等が提供された場合は、セキュリティ上の観点から、二度目以降のユーザ情報の提供の際には、ユーザの個人情報等は含まれていないことが好ましい。また、ユーザ情報提供部１５１は、ユーザ情報の提供と同時に、ユーザ管理サーバ１３０への問合せに係るコンテンツを特定するための情報も提供する。
【００７７】
視聴許諾情報取得部１５３は、ユーザ端末１１０またはユーザ管理サーバ１３０から視聴許諾情報と許諾コンテンツ情報を取得する。図５に示した例では、視聴許諾情報取得部１５３は、ユーザ端末１１０から視聴許諾情報と許諾コンテンツ情報を取得することとしている。視聴許諾情報取得部１５３は、視聴許諾情報の内容が視聴の許諾を意味するものである場合には、当該視聴許諾情報及び許諾コンテンツ情報をユーザ端末１１０から取得するとともに、当該許諾コンテンツ情報により特定されるコンテンツの視聴の開始の要求をユーザ端末１１０から受信する。視聴許諾情報取得部１５３は、取得した視聴許諾情報（視聴の許諾を意味するものである場合に限る）と、許諾コンテンツ情報と、当該許諾コンテンツ情報により特定されるコンテンツの視聴の開始の要求を決済処理要求部１５５及びコンテンツ情報取得部１５７に伝送する。
【００７８】
決済処理要求部１５５は、視聴許諾情報取得部１５３から、視聴許諾情報（視聴の許諾を意味するものである場合に限る）と、許諾コンテンツ情報と、当該許諾コンテンツ情報により特定されるコンテンツの視聴の開始の要求を受け取った場合には、決済サーバ１７０に対して、ユーザ端末１１０との間で決済処理を行う旨の要求を送信する。この際、決済処理要求部１５５は、許諾コンテンツ情報を決済サーバ１７０に送信する。
【００７９】
コンテンツ情報取得部１５７は、視聴許諾情報取得部１５３から、視聴許諾情報（視聴の許諾を意味するものである場合に限る）と、許諾コンテンツ情報と、当該許諾コンテンツ情報により特定されるコンテンツの視聴の開始の要求を受け取った場合には、コンテンツ配信サーバ１６０に対して、当該視聴の要求に係るコンテンツの配信を要求する。また、コンテンツ情報取得部１５７は、この要求に応じてコンテンツ配信サーバ１６０から配信されたコンテンツ及びそれに付随するコンテンツのメタデータを取得する。なお、コンテンツ情報取得部１５７は、メタデータのみ予め取得することもできる。また、コンテンツ情報取得部１５７は、ユーザ端末１１０と決済サーバ１７０との間の決済処理を待って、コンテンツの配信要求をしてもよい。コンテンツ情報取得部１５７は、取得したコンテンツを再生部１５９に伝送する。
【００８０】
再生部１５９は、コンテンツ情報取得部１５７から伝送されたコンテンツを再生する。
【００８１】
（コンテンツ配信サーバ１６０の機能構成）
次に、図６を参照しながら、コンテンツ配信サーバ１６０の機能構成について説明する。なお、図６は、本実施形態に係るコンテンツ配信サーバの機能構成を示すブロック図である。
【００８２】
図６に示すように、コンテンツ配信サーバ１６０は、コンテンツ配信要求受信部１６１と、コンテンツ情報提供部１６３と、を主に有する。
【００８３】
コンテンツ配信要求受信部１６１は、表示装置１４０から、視聴許諾情報（視聴の許諾を意味するものである場合に限る）と、許諾コンテンツ情報と、当該許諾コンテンツ情報により特定されるコンテンツの視聴の開始の要求を受信する。コンテンツ配信要求受信部１６１は、コンテンツ配信の指示とともに、受信した視聴許諾情報（視聴の許諾を意味するものである場合に限る）と、許諾コンテンツ情報をコンテンツ情報提供部に伝送する。
【００８４】
コンテンツ情報提供部１６３は、コンテンツ配信要求受信部１６１から伝送された視聴許諾情報（視聴の許諾を意味するものである場合に限る）と、許諾コンテンツ情報とに基づいて、記憶部（図示せず）内に記憶されているコンテンツの中から、ユーザ端末１１０の要求に係るコンテンツを抽出し、抽出したコンテンツを前記表示装置１４０に配信する。
【００８５】
（決済サーバ１７０の機能構成）
次に、図７を参照しながら、決済サーバ１７０の機能構成について説明する。なお、図７は、本実施形態に係る決済サーバの機能構成を示すブロック図である。
【００８６】
図７に示すように、決済サーバ１７０は、決済要求受信部１７１と、決済処理部１７３と、を主に有する。
【００８７】
決済要求受信部１７１は、ユーザ端末１１０からコンテンツの視聴要求に応じた表示装置１４０からの決済処理の要求を受信する。この際、決済要求受信部１７１は、許諾コンテンツ情報を受信する。決済要求受信部１７１は、決済処理の指示とともに受信した許諾コンテンツ情報を決済処理部１７３に伝送する。
【００８８】
決済処理部１７３は、決済要求受信部１７１からの決済処理の指示に応じて、ユーザ端末１１０との間で決済処理を行う。この際、決済処理部１７３は、決済要求受信部１７１から受け取った許諾コンテンツ情報に基づいて、決済処理の対象となるコンテンツを特定する。
【００８９】
（コンテンツ視聴管理システム１を構成する各装置のハードウェア構成）
以上、本実施形態に係るコンテンツ視聴管理システムを構成する各装置の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。以下、上述した本実施形態に係るコンテンツ視聴管理システムを構成する各装置の機能を実現するためのハードウェア構成の一例について説明する。
【００９０】
まず、図９に基づいて、非接触ＩＣ通信機能を有する本実施形態に係るユーザ端末１１０及び表示装置１４０のハードウェア構成について説明する。なお、図９は、本実施形態に係る第１の端末（又は表示装置）のハードウェア構成を示すブロック図である。以下、表示装置１４０を例に挙げて説明する。
【００９１】
表示装置１４０は、主に、ＣＰＵ（Ｃｅｎｔｒａｌ  Ｐｒｏｃｅｓｓｉｎｇ  Ｕｎｉｔ）８０１と、ＲＯＭ（Ｒｅａｄ  Ｏｎｌｙ  Ｍｅｍｏｒｙ）８０３と、ＲＡＭ（Ｒａｎｄｏｍ  Ａｃｃｅｓｓ  Ｍｅｍｏｒｙ）８０５と、ホストバス８０７と、ブリッジ８０９と、外部バス８１１と、インターフェース８１３と、入力装置８１５と、出力装置８１７と、ストレージ装置８１９と、非接触ＩＣ通信装置８２１と、通信装置８２３とを備える。
【００９２】
ＣＰＵ８０１は、演算処理装置および制御装置として機能し、ＲＯＭ８０３、ＲＡＭ８０５、またはストレージ装置８１９に記録された各種プログラムに従って表示装置１４０内の動作全般またはその一部を制御する。ＲＯＭ８０３は、ＣＰＵ８０１が使用するプログラムや演算パラメータ等を記憶する。ＲＡＭ８０５は、ＣＰＵ８０１の実行において使用するプログラムや、その実行において適宜変化するパラメータ等を一次記憶する。これらはＣＰＵバス等の内部バスにより構成されるホストバス８０７により相互に接続されている。
【００９３】
ホストバス８０７は、ブリッジ８０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス８１１に接続されている。
【００９４】
入力装置８１５は、例えば、マウス、キーボード、タッチパネル、ボタン、スイッチおよびレバーなどユーザが操作する操作手段である。また、入力装置８１５は、例えば、上記の操作手段を用いてユーザにより入力された情報に基づいて入力信号を生成し、ＣＰＵ８０１に出力する入力制御回路などから構成されている。表示装置１４０のユーザは、この入力装置８１５を操作することにより、表示装置１４０に対して各種のデータを入力したり処理動作を指示したりすることができる。
【００９５】
出力装置８１７は、例えば、ＣＲＴディスプレイ装置、液晶ディスプレイ装置、プラズマディスプレイ装置、ＥＬディスプレイ装置およびランプなどの表示装置や、スピーカおよびヘッドホンなどの音声出力装置など、取得した情報をユーザに対して視覚的または聴覚的に通知することが可能な装置で構成される。具体的には、表示装置は、画像データ等の各種情報をテキストまたはイメージで表示する。一方、音声出力装置は、音声データ等を音声に変換して出力する。
【００９６】
ストレージ装置８１９は、本実施形態にかかる表示装置１４０の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置８１９は、ＣＰＵ８０１が実行するプログラムや各種データ、および外部から取得した画像信号データなどを格納する。
【００９７】
非接触ＩＣ通信装置８２１は、非接触ＩＣ通信機能を有する非接触ＩＣ通信機器８２５とデータの送受信が可能なリーダライタであり、表示装置１４０に内蔵、あるいは外付けされる。非接触ＩＣ通信装置８２１は、非接触ＩＣ通信機器８２５に記録されている情報を読み出して、ＲＡＭ８０５に出力する。また、非接触ＩＣ通信装置８２１は、非接触ＩＣ通信機器８２５に記録を書き込むことも可能である。非接触ＩＣ通信機器８２５としては、例えば、非接触型ＩＣチップを搭載したＩＣカード（Ｉｎｔｅｇｒａｔｅｄ  Ｃｉｒｃｕｉｔ  ｃａｒｄ）または携帯電話機等の電子機器であってもよい。
【００９８】
通信装置８２３は、例えば、通信網５に接続するための通信デバイス等で構成された通信インターフェースである。通信装置８２３は、例えば、有線または無線ＬＡＮ（Ｌｏｃａｌ  Ａｒｅａ  Ｎｅｔｗｏｒｋ）、Ｂｌｕｅｔｏｏｔｈ、またはＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、または、各種通信用のモデム等である。この通信装置８２３は、例えば、インターネットや他の通信機器との間でコンテンツや各種情報を送受信することができる。また、通信装置８２３に接続される通信網５は、有線または無線によって接続されたネットワーク等により構成され、例えば、インターネット、家庭内ＬＡＮ、赤外線通信、または衛星通信等であってもよい。
【００９９】
次に、図１０を参照しながら、非接触ＩＣ通信機能を有しない本実施形態に係る管理者端末１２０、ユーザ管理サーバ１３０、コンテンツ配信サーバ１６０及び決済サーバ１７０のハードウェア構成について説明する。なお、図１０は、本実施形態に係る第２の端末（、ユーザ管理サーバ、コンテンツ配信サーバ又は決済サーバ）のハードウェア構成を示すブロック図である。以下、ユーザ管理サーバ１３０を例に挙げて説明する。
【０１００】
ユーザ管理サーバ１３０は、主に、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０３と、ＲＡＭ（Ｒａｎｄｏｍ  Ａｃｃｅｓｓ  Ｍｅｍｏｒｙ）９０５と、ホストバス９０７と、ブリッジ９０９と、外部バス９１１と、インターフェース９１３と、入力装置９１５と、出力装置９１７と、ストレージ装置９１９と、ドライブ９２１と、接続ポート９２３と、通信装置９２５とを備える。
【０１０１】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従ってユーザ管理サーバ１３０内の動作全般またはその一部を制御する。ＲＯＭ９０３は、ＣＰＵ９０１が使用するプログラムや演算パラメータ等を記憶する。ＲＡＭ９０５は、ＣＰＵ９０１の実行において使用するプログラムや、その実行において適宜変化するパラメータ等を一次記憶する。これらはＣＰＵバス等の内部バスにより構成されるホストバス９０７により相互に接続されている。
【０１０２】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【０１０３】
入力装置９１５は、例えば、マウス、キーボード、タッチパネル、ボタン、スイッチおよびレバーなどユーザが操作する操作手段である。また、入力装置９１５は、例えば、赤外線やその他の電波を利用したリモートコントロール手段（いわゆる、リモコン）であってもよいし、ユーザ管理サーバ１３０の操作に対応した携帯電話やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。
【０１０４】
出力装置９１７は、例えば、ＣＲＴディスプレイ装置、液晶ディスプレイ装置、プラズマディスプレイ装置、ＥＬディスプレイ装置およびランプなどの表示装置や、スピーカおよびヘッドホンなどの音声出力装置や、プリンタ装置、携帯電話、ファクシミリなど、取得した情報をユーザに対して視覚的または聴覚的に通知することが可能な装置で構成される。具体的には、表示装置は、画像データ等の各種情報をテキストまたはイメージで表示する。一方、音声出力装置は、音声データ等を音声に変換して出力する。
【０１０５】
ストレージ装置９１９は、本実施形態にかかるユーザ管理サーバ１３０の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置９１９は、ＣＰＵ９０１が実行するプログラムや各種データ、および外部から取得した画像信号データなどを格納する。
【０１０６】
ドライブ９２１は、記憶媒体用リーダライタであり、ユーザ管理サーバ１３０に内蔵、あるいは外付けされる。ドライブ９２１は、装着されている磁気ディスク、光ディスク、光磁気ディスク、または半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク、または半導体メモリ等のリムーバブル記録媒体９２７に記録を書き込むことも可能である。リムーバブル記録媒体９２７は、例えば、ＤＶＤメディア、ＨＤ−ＤＶＤメディア、Ｂｌｕ−ｒａｙメディア、コンパクトフラッシュ（登録商標）（ＣｏｍｐａｃｔＦｌａｓｈ：ＣＦ）、メモリースティック、または、ＳＤメモリカード（Ｓｅｃｕｒｅ  Ｄｉｇｉｔａｌ  ｍｅｍｏｒｙ  ｃａｒｄ）等である。また、リムーバブル記録媒体９２７は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【０１０７】
接続ポート９２３は、例えばＵＳＢ（Ｕｎｉｖｅｒｓａｌ  Ｓｅｒｉａｌ  Ｂｕｓ）ポートや、ｉ．Ｌｉｎｋ等のＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート、ＲＳ−２３２Ｃポート、光オーディオ端子等の、機器をユーザ管理サーバ１３０に直接接続するためのポートである。この接続ポート９２３に外部接続機器９２９を接続することで、ユーザ管理サーバ１３０は外部接続機器９２９から直接情報を取得したり、外部接続機器９２９に情報を提供したりする。
【０１０８】
通信装置９２５は、例えば、通信網５に接続するための通信デバイス等で構成された通信インターフェースである。通信装置９２５は、例えば、有線または無線ＬＡＮ（Ｌｏｃａｌ  Ａｒｅａ  Ｎｅｔｗｏｒｋ）、Ｂｌｕｅｔｏｏｔｈ、またはＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、または、各種通信用のモデム等である。この通信装置９２５は、例えば、インターネットや他の通信機器との間で画像信号等を送受信することができる。また、通信装置９２５に接続される通信網５は、有線または無線によって接続されたネットワーク等により構成され、例えば、インターネット、家庭内ＬＡＮ、赤外線通信、または衛星通信等であってもよい。
【０１０９】
以上、本実施形態に係る画像表示装置および識別情報読取装置の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【０１１０】
（コンテンツ視聴管理システム１における処理の流れ）
以上、コンテンツ視聴管理システム１を構成する各装置の機能構成及びその機能を実現するためのハードウェア構成について詳細に説明したが、続いて、図１１〜図１３を参照しながら、本実施形態に係るコンテンツ視聴管理システム１における処理の流れについて詳細に説明する。なお、図１１は、コンテンツ視聴管理システム１における処理の流れを示す説明図であり、図１２及び図１３は、図１１に挙げた各処理におけるＧＵＩの例を示す説明図である。
【０１１１】
以下の説明では、図１２（ａ）に示すように、家庭内の非接触ＩＣ通信機能を有する表示装置１４０（例えば、Ｆｅｌｉｃａ（登録商標）対応のデジタルテレビ等）を使用して、ＶＯＤ（Ｖｉｄｅｏ  Ｏｎ  Ｄｅｍａｎｄ）の有料コンテンツを息子（山田よしお）が視聴しようとする場合を例に挙げて説明する。
【０１１２】
また、図１１に示す処理を開始する前に、その前提として、ユーザ管理サーバ１３０においては、管理者端末１２０からの要求に応じて、管理者情報の登録及び管理者リストの作成が行われており、息子の管理者として親が登録されているものとする。
【０１１３】
まず、図１１に示すように、ユーザ端末１１０のユーザである息子は、表示装置１４０の表示画面上で、入力部１４３を介して視聴したいコンテンツを選択する（Ｓ１１）。具体的には、例えば、図１２（ｂ）に示すように、表示装置１４０の表示画面に表示されたＶＯＤメニューから視聴したいコンテンツとして、ｍｏｖｉｅＢを選択する。
【０１１４】
次に、表示装置１４０の表示部１４５は、表示画面上に選択されたコンテンツの詳細な情報及び認証が必要である旨を表示する（Ｓ１３）。表示装置１４０は、選択されたコンテンツのメタデータに含まれる情報に基づいて認証が必要か否かを判断し、必要と判断した場合に、認証が必要である旨を表示する。具体的には、図１２（ｃ）に示すように、表示装置１４０の表示画面に、コンテンツの詳細と、例えば、「認証が必要です。リーダライター（１４０Ａ）にお財布ケータイ（１１０）をかざしてください」というアラートが表示される。
【０１１５】
次に、表示画面上のアラートに応じて、例えば、表示装置１４０のリーダライター１４０Ａにユーザ端末１１０であるお財布ケータイをかざすと、ユーザ端末１１０の非接触ＩＣ通信部１１３が、表示装置１４０にユーザＩＤ、例えば、コンテンツ購入時の決済用ＩＤ等を送信する（Ｓ１５）。
【０１１６】
次に、表示装置１４０は、ユーザ端末１１０から取得した決済用ＩＤと、記憶部１４１に記憶されている視聴制限リストに含まれるユーザＩＤ（決済用ＩＤ）とを照合する。その結果、合致する決済用ＩＤがある場合には、そのＩＤのユーザに対して設定されている制限内容（例えば、「Ｒ１５指定は要制限」等）と、ユーザにより選択されたコンテンツ（ｍｏｖｉｅＢ）のメタデータに含まれる内容（例えば、「Ｒ１８指定」等）とを比較して、ユーザにより選択されたコンテンツ（ここでは、ｍｏｖｉｅＢ）が視聴制限が設定されているものであるか否かを判断する（Ｓ１７）。この判断の結果、視聴制限がされていないと判断された場合には、コンテンツ配信サーバ１６０に対して、ユーザにより選択されたコンテンツ（ｍｏｖｉｅＢ）の配信を要求する（Ｓ１９）。
【０１１７】
一方、ステップＳ１７の判断の結果、ユーザにより選択されたコンテンツは、視聴制限がされていると判断された場合には、ユーザ端末１１０に対して当該ユーザ（息子）の個人情報（名前、年齢、ユーザ端末１１０の電子メールアドレス等）を要求する（Ｓ２１）。具体的には、例えば、図１２（ｄ）に示すように、表示部１４５は、視聴制限判断部１４９の判断結果として、「選択したコンテンツを視聴する場合は管理者（親）の許可が必要である」旨のメッセージを表示装置１４０の表示画面に表示させる。さらに、表示部１４５は、図１２（ｅ）に示すように、管理者（親）に視聴許諾の確認のメールを送るために、ユーザ（息子）の個人情報の入力を促すメッセージとして、管理者（親）へ確認メールを送るために、もう一度リーダライター（１４０Ａ）にお財布ケータイ（１１０）をかざすよう、アラートを表示画面に表示させる。
【０１１８】
次に、表示画面上のアラートに応じて、例えば、表示装置１４０のリーダライター１４０Ａにユーザ端末１１０であるお財布ケータイをかざすと、ユーザ端末１１０の非接触ＩＣ通信部１１３が、表示装置１４０にユーザの個人情報を送信する（Ｓ２３）。
【０１１９】
さらに、ユーザの個人情報を取得した表示装置１４０は、ユーザ管理サーバ１３０に対して、ユーザにより選択されたコンテンツについて管理者から使用許諾がされているか否かを問い合わせる（Ｓ２５）。この際、表示装置１４０は、ユーザＩＤやユーザの個人情報を含むユーザ情報や、ユーザにより選択されたコンテンツを特定するための情報やコンテンツのメタデータも、ユーザ管理サーバ１３０に送信する。
【０１２０】
表示装置１４０からステップＳ２５の問合せを受けたユーザ管理サーバ１３０は、表示装置から取得したユーザＩＤやユーザの個人情報を含むユーザ情報や、ユーザにより選択されたコンテンツを特定するための情報やコンテンツのメタデータ等と、記憶部１３１に記憶されている許諾コンテンツリストとに基づいて、問合せのあったコンテンツが管理者による視聴許諾がされているか否かを確認する（Ｓ２７）。
【０１２１】
ユーザ管理サーバ１３０は、この確認の結果、視聴許諾がされていると判断した場合には、ユーザ端末１１０に対して、選択したコンテンツの視聴が管理者により許諾されている旨を通知する（Ｓ２９）。このステップＳ２９の通知は、例えば、ユーザ管理サーバ１３０からユーザ端末１１０へのメール送信の形態をとることができる。この場合、ユーザ管理サーバ１３０は、表示装置１４０からユーザ端末１１０の電子メールアドレスが送信されていることが必要である。
【０１２２】
一方、ユーザ管理サーバ１３０は、ステップＳ２７の確認の結果、視聴許諾がされていないと判断した場合には、管理者端末１２０に対して、ユーザにより選択されたコンテンツについての視聴許諾の要求を送信する（Ｓ３１）。このステップＳ３１においては、視聴許諾の要求の他に、ユーザが視聴あるいは購入しようとしているコンテンツに関する情報（例えば、コンテンツのタイトル、コンテンツの金額、成人向けのコンテンツであること、Ｒ指定のコンテンツであること等）と、視聴あるいは購入を許可するか否かを登録する場所を示すＵＲＬ等が、ユーザ管理サーバ１３０から管理者端末１２０に送信される。このステップＳ３１の処理は、図１２（ｆ）に示すように、例えば、ユーザ管理サーバ１３０から管理者端末１２０へのメール送信の形態をとることができる。この場合、ユーザ管理サーバ１３０は、予め登録されている管理者のリストに含まれる管理者端末１２０の電子メールアドレスに基づいて、メールを送信する。
【０１２３】
なお、通常は、ユーザは一度管理者による許諾を受けたコンテンツをもう一度購入するようなことはあまり無いと考えられるので、ステップＳ２７による判断を行わずに、表示装置１４０のリーダライター１４０Ａにユーザ端末１１０であるお財布ケータイをかざすと、ステップＳ２３、Ｓ２５及びＳ３１の処理が自動的に行われるようにしてもよい。すなわち、ユーザ端末１１０をリーダライター１４０Ａにかざすと、自動的に、管理者端末１２０に視聴許諾要求のメッセージが送られるようにしてもよい。
【０１２４】
このようにして、管理者端末１２０が、ユーザ管理サーバ１３０からの視聴許諾要求のメッセージを受信すると、管理者端末１２０の表示画面には、例えば、図１３（ａ）に示すように、視聴許諾を求めるコンテンツの内容、そのコンテンツの金額、許諾するか否かを選択するためのページのＵＲＬが記載されたメッセージが表示される。このメッセージを見た管理者は、管理者用端末１２０の入力部１２５を操作することにより、表示されたＵＲＬに基づいて、許諾するか否かを選択してその結果を送信するためのページに遷移する。遷移後のページでは、例えば、図１３（ｂ）に示すように、ユーザのＩＤ、氏名、許諾するか否かの選択肢（Ｙｅｓ，Ｎｏ）、及び送信ボタン等が表示される。
【０１２５】
この遷移後のページにおいて、管理者１２０が入力部１２５を操作して、「Ｙｅｓ」か「Ｎｏ」のいずれかを選択して（図１３の例では、「Ｙｅｓ」を選択）送信ボタンを押すと、管理者による視聴許諾可否の回答が、管理者端末１２０からユーザ管理サーバ１３０に送信される（Ｓ３３）。
【０１２６】
ユーザ管理サーバ１３０は、管理者端末１２０からの視聴許諾可否の回答を受信すると、その回答の内容から、ユーザは当該ユーザが視聴（または購入）しようとしているコンテンツの視聴（または購入）ができるか否かを判断する（Ｓ３５）。その結果、管理者端末１２０からの回答が「Ｙｅｓ」であった場合、すなわち、コンテンツの視聴ができると判断された場合には、ユーザ管理サーバ１３０は、ユーザ端末１１０に対して、選択したコンテンツの視聴が管理者により許諾された旨を通知する（Ｓ３７）。この通知は、例えば、図１３（ｃ）に示すように、ユーザ管理サーバ１３０からユーザ端末１１０へのメール送信の形態をとることができる。
【０１２７】
このようにして、ユーザ端末１１０が、ユーザ管理サーバ１３０から選択したコンテンツの視聴許諾の可否の回答メッセージを受信すると、ユーザ端末１１０の表示画面には、例えば、図１３（ｄ）に示すように、ユーザが視聴しようとしているコンテンツのタイトル、そのコンテンツの金額、そのコンテンツの許諾可否の回答結果（本例では許諾された旨）、コンテンツの視聴開始のためにはリーダライター（１４０Ａ）にお財布ケータイ（１１０）をかざす必要がある旨のアラートが表示される。
【０１２８】
このとき、同一のユーザに対して、既に視聴許諾がなされているコンテンツが複数有る場合には、例えば、ユーザ端末１１０の表示画面に、許諾されている複数のコンテンツをユーザが選択可能な、リスト形式のメニューが表示されるようにしてもよい。
【０１２９】
次に、表示画面上のアラートに応じて、例えば、表示装置１４０のリーダライター１４０Ａにユーザ端末１１０であるお財布ケータイをかざすと、ユーザ端末１１０の非接触ＩＣ通信部１１３が、表示装置１４０に対して、コンテンツの視聴（または購入要求）を送信する（Ｓ３９）。
【０１３０】
表示装置１４０は、ユーザ端末１１０から視聴要求を受信すると、決済サーバ１７０に対して、ユーザ端末１１０との間で視聴許諾がされたコンテンツの購入に対する決済処理を行う旨の要求を送信する（Ｓ４１）と同時に、コンテンツ配信サーバ１６０に対して、視聴許諾がされたコンテンツの配信を要求する（Ｓ４３）。決済サーバ１７０は、表示装置１４０から決済処理の要求を受信すると、ユーザ端末１１０との間で決済処理を行う（Ｓ４５）。また、コンテンツ配信サーバ１６０は、表示装置１４０から視聴許諾がされたコンテンツの配信の要求を受信すると、当該コンテンツを表示装置１４０に配信する（Ｓ４７）。表示装置１４０は、コンテンツ配信サーバ１６０から視聴許諾がされたコンテンツを受信した後に、あるいは、受信しながら、図１３（ｅ）に示すように、そのコンテンツを再生する。
【０１３１】
なお、本実施形態では、ステップＳ４５の決済処理と、ステップＳ４７のコンテンツの配信要求とを同時に行う場合を示したが、ステップＳ４５の決済処理を待って、決済が完了したことを確認してから、ステップＳ４７のコンテンツの配信要求を行うようにしてもよい。
【０１３２】
ステップＳ３５の判断の結果、管理者端末１２０からの回答が「Ｎｏ」であった場合、すなわち、コンテンツの視聴ができないと判断された場合には、ユーザ管理サーバ１３０は、ユーザ端末１１０に対して、選択したコンテンツの視聴が管理者により許諾されなかった旨を通知する（Ｓ４９）。この通知は、例えば、図１３（ｃ）に示すように、ユーザ管理サーバ１３０からユーザ端末１１０へのメール送信の形態をとることができる。
【０１３３】
（本実施形態に係るコンテンツ視聴管理方法の処理の流れ）
次に、図１４を参照しながら、本実施形態に係るコンテンツ視聴管理装置（ユーザ管理サーバ）１３０におけるコンテンツ視聴管理方法の処理の流れについて説明する。なお、図１４は、本実施形態に係るコンテンツ視聴管理装置（ユーザ管理サーバ）１３０におけるコンテンツ視聴管理方法の処理の流れを示すフローチャートである。
【０１３４】
図１４に示すように、ユーザ管理サーバ１３０の管理者情報登録部１３２は、管理者端末１２０から、管理者情報の登録要求を受信した場合に（Ｓ１０１）、当該管理者情報（例えば、管理者ＩＤ、管理者端末１２０の電子メールアドレス等）や、当該管理者により管理されるユーザのユーザＩＤなどに基づいて管理者リストを作成する（Ｓ１０３）。また、管理者情報登録部１３２は、初期登録後も、管理者端末１２０からの要求に応じて、管理者リストを更新することができる。さらに、管理者情報登録部１３２は、作成又は更新した管理者リストを記憶部１３１に記録する（Ｓ１０３）。
【０１３５】
次に、ユーザ情報取得部１３３は、所定のコンテンツについてユーザにより視聴要求がなされた場合、その視聴要求に応じて、当該コンテンツに視聴制限が設定されていると表示装置１４０により判断された場合に、表示装置１４０からユーザＩＤを含むユーザ情報を取得する。この表示装置１４０から取得するユーザ情報は、表示装置１４０がユーザ端末１１０から取得した情報である。通常、ユーザ情報取得部１３３がユーザ情報を取得する際には、同時に、ユーザによる視聴要求がされたコンテンツが管理者により許諾されているか否かに関する表示装置１４０からの問合せを受信する（Ｓ１０５）。また、このときにユーザ情報取得部１３３が取得するユーザ情報の中には、ユーザのＩＤのみならず、ユーザの個人情報やユーザ端末１１０の電子メールアドレス等が含まれていてもよい。ただし、一度ユーザ端末１１０から表示装置１４０にユーザの個人情報等が提供された場合は、セキュリティ上の観点から、二度目以降のユーザ情報の取得の際には、ユーザの個人情報等は含まれていないことが好ましい。また、ユーザ情報取得部１３３は、ユーザ情報の取得と同時に、表示装置１４０からの問合せに係るコンテンツを特定するための情報も取得する。
【０１３６】
次に、視聴許諾有無判断部１３４は、記憶部１３１に記憶されている管理者リストと、ユーザ情報取得部１３３が取得したユーザ情報及びコンテンツを特定するための情報に基づいて、ユーザにより視聴要求がされたコンテンツが、管理者による視聴許諾がされたものであるか否かを判断する（Ｓ１０７）。その判断の結果、視聴許諾有無判断部１３４は、視聴許諾が既にされているコンテンツであると判断した場合には、表示装置１４０にその旨の通知を送信する（Ｓ１０９）。
【０１３７】
一方、視聴許諾要求送信部１３５は、視聴許諾有無判断部１３４が、ユーザにより視聴要求がされたコンテンツが視聴許諾がまだされていないコンテンツであると判断した場合には、管理者端末１２０に対して、視聴要求がされたコンテンツの視聴許諾を要求するメッセージを送信する（Ｓ１１１）。このメッセージの送信の態様としては特に限定されるものではないが、例えば、記憶部１３１に記憶されている管理者リストに含まれる管理者端末１２０の電子メールのアドレスに基づいて、電子メールの形式で送信することができる。
【０１３８】
次に、視聴許諾情報取得部１３６は、視聴要求がされたコンテンツに対する管理者による視聴許諾の可否に関する視聴許諾情報を、管理者端末１２０から受信する（Ｓ１１３）。このとき、視聴許諾情報取得部１３６は、当該視聴許諾情報に対応するコンテンツを特定するための情報や、そのコンテンツの視聴を要求したユーザのユーザＩＤなどを受信してもよい。また、視聴許諾情報取得部１３６は、視聴許諾情報が、視聴要求がされたコンテンツの視聴を許諾する内容である場合には、記憶部１３１に記憶されている許諾コンテンツリストに、許諾されたコンテンツを許諾されたユーザのユーザＩＤと関連付けて記録する。
【０１３９】
次いで、視聴許諾情報取得部１３６は、受信した視聴許諾可否に関する視聴許諾情報を受信した場合には、その視聴許諾情報の内容に基づいて、視聴要求がされたコンテンツに対して管理者による視聴の許諾がされたか否かを確認する（Ｓ１１５）。
【０１４０】
その確認の結果、視聴許諾がされたと判断された場合には、視聴許諾情報提供部１３７は、ユーザ端末１１０に対して、視聴許諾がされた旨の通知を送信する（Ｓ１０９）。このとき、視聴許諾情報提供部１３７は、当該視聴許諾情報に対応するコンテンツを特定するための情報や、そのコンテンツの視聴を要求したユーザのユーザＩＤなども、ユーザ端末１１０に送信する。
【０１４１】
一方、ステップＳ１１５の確認の結果、視聴許諾がされなかったと判断された場合には、視聴許諾情報提供部１３７は、ユーザ端末１１０に対して、視聴許諾がされなかった旨の通知を送信する（Ｓ１１７）。
【０１４２】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【０１４３】
【図１】本発明の一実施形態に係るコンテンツ視聴管理システムの構成を示す説明図である。
【図２】同実施形態に係る第１の端末の機能構成を示すブロック図である。
【図３】同実施形態に係る第２の端末の機能構成を示すブロック図である。
【図４】同実施形態に係るユーザ管理サーバ（コンテンツ視聴管理装置）の機能構成を示すブロック図である。
【図５】同実施形態に係る表示装置の機能構成を示すブロック図である。
【図６】同実施形態に係るコンテンツ配信サーバの機能構成を示すブロック図である。
【図７】同実施形態に係る決済サーバの機能構成を示すブロック図である。
【図８Ａ】同実施形態に係る管理者リストの一例を示す説明図である。
【図８Ｂ】同実施形態に係る許諾コンテンツリストの一例を示す説明図である。
【図８Ｃ】同実施形態に係る視聴制限リストの一例を示す説明図である。
【図９】同実施形態に係る第１の端末（又は表示装置）のハードウェア構成を示すブロック図である。
【図１０】同実施形態に係る第２の端末（、ユーザ管理サーバ、コンテンツ配信サーバ又は決済サーバ）のハードウェア構成を示すブロック図である。
【図１１】同実施形態に係るコンテンツ視聴管理システムにおける処理の流れを示す説明図である。
【図１２】図１１に挙げた各処理におけるＧＵＩの例を示す説明図である。
【図１３】図１１に挙げた各処理におけるＧＵＩの例を示す説明図である。
【図１４】同実施形態に係るコンテンツ視聴管理方法の処理の流れを示すフローチャートである。
【符号の説明】
【０１４４】
１    コンテンツ視聴管理システム
５    インターネット
１１０    ユーザ端末
１１１    記憶部
１１３    非接触ＩＣ通信部（ユーザ情報提供部）
１１５    ネットワーク通信部
１１６    視聴許諾情報取得部
１１７    決済処理部
１２０    管理者端末
１２１    記憶部
１２２    管理者登録要求部
１２３    視聴許諾要求受信部
１２４    表示部
１２５    入力部
１２６    視聴許諾情報提供部
１２７    通信部
１３０    ユーザ管理サーバ（コンテンツ視聴管理装置）
１３１    記憶部
１３２    管理者情報登録部
１３３    ユーザ情報取得部
１３４    視聴許諾有無判断部
１３５    視聴許諾要求送信部
１３６    視聴許諾情報取得部
１３７    視聴許諾情報提供部
１４０    表示装置
１４１    記憶部
１４３    入力部
１４５    表示部
１４７    非接触ＩＣ通信部（ユーザ情報取得部）
１４９    視聴制限判断部
１５１    ユーザ情報提供部
１５３    視聴許諾情報取得部
１５５    決済処理要求部
１５７    コンテンツ情報取得部
１５９    再生部
１６０    コンテンツ配信サーバ
１６１    コンテンツ配信要求受信部
１６３    コンテンツ情報提供部
１７０    決済サーバ
１７１    決済処理要求受信部
１７３    決済処理部
【図１】
0005145914.tif 000002
【図２】
0005145914.tif 000003
【図３】
0005145914.tif 000004
【図４】
0005145914.tif 000005
【図５】
0005145914.tif 000006
【図６】
0005145914.tif 000007
【図７】
0005145914.tif 000008
【図８Ａ】
0005145914.tif 000009
【図８Ｂ】
0005145914.tif 000010
【図８Ｃ】
0005145914.tif 000011
【図９】
0005145914.tif 000012
【図１０】
0005145914.tif 000013
【図１１】
0005145914.tif 000014
【図１４】
0005145914.tif 000015
【図１２】
0005145914.tif 000016
【図１３】
0005145914.tif 000017